(57)【特許請求の範囲】
【請求項１】
手差し給紙口から用紙を挿入してガイド板に沿って案内し、その用紙の先端を規制部材の突当て部に突き当てて搬送ローラのローラ軸と平行に揃え、さらに前記ガイド板で用紙を案内して先端を前記搬送ローラまで到達させ、その搬送ローラの回転により用紙を送り込む手差し給紙装置において、前記規制部材を、用紙先端を揃える規制位置とその規制位置から離れた退避位置との間で回動自在に前記手差し給紙口に設けるとともに、その規制部材に、前記ガイド板と互いに交差してそのガイド板を貫通する櫛歯状の突当て部を設け、用紙をその突当て部に突き当ててさらに押し込んだとき付勢力に抗して前記退避位置へ回動可能に前記規制位置に付勢してなる、手差し給紙装置。
【請求項２】
前記ガイド板に用紙を押し付ける押え部を、前記規制部材の前記突当て部から連続して設けてなる、請求項１に記載の手差し給紙装置。
【請求項３】
前記規制部材を、前記手差し給紙口を塞ぐ形状としてなる、請求項１に記載の手差し給紙装置。
【発明の詳細な説明】
【０００１】
【産業上の利用分野】
この発明は、複写機・プリンタ・ファクシミリのような記録装置等に備える給紙装置に関する。特に、手差し給紙口から手差し給紙した用紙を記録装置等の内部へ供給する手差し給紙装置に関する。
【０００２】
【従来の技術】
従来、この種の手差し給紙装置中には、たとえば図７に示すように、本体ケースａに設ける手差し給紙口ｂから記録紙Ｐを挿入してガイド板ｃに沿って案内し、その記録紙Ｐの先端を記録ヘッドｄと搬送ローラ（プラテン）ｅ間に突き当ててセットする。セット後、搬送ローラｅを回転して記録紙Ｐを搬送し、その記録紙Ｐに記録ヘッドｄで記録を行い、さらに記録後の記録紙Ｐを案内板ｆでガイドして搬送ローラｅとガイドローラｒ間に通して上方の排出口ｇから排出するものがあった。
【０００３】
しかし、その従来のものでは、セット時、搬送ローラｅに対し用紙先端の突き当て感が得られないため、たとえば図８に示すように、記録紙Ｐを搬送ローラｅのローラ軸ｈに対し傾いた状態でセットしやすく、これにより、記録紙Ｐがスキューするという問題があった。
【０００４】
そこで、従来、たとえば複写機に備える給紙装置の中に、次に示すような構成によりスキューの発生を防止したものがある。
【０００５】
その給紙装置では、たとえば図９に示すように、符号１で示す原稿台の前側（図中右側）に、搬送ローラ３のローラ軸３ａと平行にストッパ軸２ａを設け、そのストッパ軸２ａ上にＬ状をなす複数のストッパ２を固定し、該ストッパ２をストッパ軸２ａを中心としてそれと一体に回動自在に設ける。そして、原稿台１上に積載するコピー原稿Ｇの先端を、実線の規制位置にあるストッパ２の突当爪部２ｂに突き当てて搬送ローラ３のローラ軸３ａと平行に揃える。
【０００６】
しかして、コピー原稿Ｇを積載したとき、その上の検知レバー４が鎖線位置に回動して原稿Ｇの存在を検知し、その検知結果に基づき、図１０中符号Ｓで示すソレノイドをオンして作動杆を吸引し、回動レバー４ａをレバー軸４ｂと一体にそれを中心としてスプリングｉに抗して鎖線位置まで回動する。すると、回動レバー４ａの下端で作動レバー２ｃを押し、該レバー２ｃをストッパ軸２ａと一体にそれを中心としてスプリングｊに抗して鎖線位置まで回動し、ストッパ２を図９中鎖線で示す退避位置に退避させる。また、回動レバー４ａを回動したとき、レバー軸４ｂと一体にアーム４ｃの先端部を鎖線位置まで回動し、その先端部上に乗せて支えたブラケット５を分離コロ６のコロ軸６ａを中心として鎖線位置まで回動し、搬送ローラ３を積載原稿Ｇの上に乗せる。
【０００７】
そして、図示しないコピーボタンを押して駆動モータを駆動し、搬送ローラ３を回転して積載原稿Ｇを上から順に送り出す。さらに、送り出した原稿Ｇを、ガイド板ｋで案内して分離コロ６と押圧コロ７間に搬送し、さらに搬送路ｍを通して反転させて矢印イで示す読取位置へ送り込み、排出コロ８により排出台ｎ上に排出していた。
【０００８】
【発明が解決しようとする課題】
ところが、その従来の給紙装置では、比較的高価なソレノイドＳを含む多数の部品を用いてストッパ２を規制位置と退避位置間で回動させる複雑な構成とするため、それだけコスト高を招くという問題があった。
【０００９】
そこで、この発明の目的は、上述のような手差し給紙装置において、そのようなコスト高を招くことなく、用紙のスキューの発生を防止することにある。
【００１０】
【課題を解決するための手段】
そのため、この発明は、たとえば以下の図示実施例に示すように、手差し給紙口１１ａから用紙を挿入してガイド板２５に沿って案内し、その用紙の先端を規制部材３０の突当て部３０ｂに突き当てて搬送ローラ２０のローラ軸２０ａと平行に揃え、さらに前記ガイド板２５で用紙を案内して先端を前記搬送ローラ２０まで到達させ、その搬送ローラ２０の回転により用紙を送り込む手差し給紙装置Ａにおいて、前記規制部材３０を、用紙先端を揃える規制位置とその規制位置から離れた退避位置との間で回動自在に前記手差し給紙口１１ａに設けるとともに、その規制部材３０に、前記ガイド板２５と互いに交差してそのガイド板２５を貫通する櫛歯状の突当て部３０ｂを設け、用紙をその突当て部３０ｂに突き当ててさらに押し込んだとき付勢力に抗して前記退避位置へ回動可能に前記規制位置に付勢してなる、ことを特徴とする。
【００１１】
請求項２に記載のものは、たとえば以下の図示実施例に示すように、請求項１に記載の手差し給紙装置Ａにおいて、前記ガイド板２５に用紙を押し付ける押え部３０ｄを、前記規制部材３０の前記突当て部３０ｂから連続して設けてなる、ことを特徴とする。
【００１２】
請求項３に記載のものは、たとえば以下の図示実施例に示すように、請求項１に記載の手差し給紙装置Ａにおいて、前記規制部材３０を、前記手差し給紙口１１ａを塞ぐ形状としてなる、ことを特徴とする。
【００１３】
【作用】
そして、この発明では、給紙時、手差し給紙口１１ａから用紙を挿入してガイド板２５に沿って案内し、その用紙の先端を規制部材３０の突当て部３０ｂに突き当てて搬送ローラ２０のローラ軸２０ａと平行に揃える。しかして、用紙をさらに押し込み、その用紙の腰で規制部材３０を付勢力に抗して規制位置から退避位置に回動し、さらに、その用紙をガイド板２５で案内して先端を搬送ローラ２０まで到達させる。その後、搬送ローラ２０を回転して用紙を送り込む。そして、用紙の後端が規制部材３０から離れたとき、規制部材３０を付勢力に基づき規制位置に戻す。
【００１４】
請求項２に記載のものでは、規制部材３０を退避位置へ回動して用紙をさらに押し込むとき、押え部３０ｄで用紙をガイド板２５に押し付けながら先端を搬送ローラ２０まで到達させる。
【００１５】
請求項３に記載のものでは、規制部材３０で常に手差し給紙口１１ａを、用紙通過のみを許す塞いだ状態にする。
【００１６】
【実施例】
以下、図面を参照しつつ、この発明の実施例について説明する。
図４は、この発明の一実施例である手差し給紙装置を備えるコピーボードの外観斜視図である。
【００１７】
図中符号１０で、コピーボードのケースを示す。ケース１０は、比較的薄くてやや長手の箱形に形成し、表側に大きな矩形の書込み窓１０ｂおよび筆記具入れの長溝１０ｃを設ける。さらに、ケース１０の長さ方向片側に、カバー１１を設ける。カバー１１は、ケース１０の幅方向に長く形成し、その上面に、細長な手差し給紙口１１ａおよび用紙排出口１１ｂを平行に設けてなる。
【００１８】
そして、このケース１０内の長さ方向両側に、図示しないが、駆動ローラと従動ローラをローラ軸を幅方向に向けて配置し、それらローラ間にエンドレスベルト１２を張り渡す。しかして、そのベルト１２の内側に裏板（図示省略）を設け、その裏板でエンドレスベルト１２の張渡し部分の上側内面を裏当てし、その裏当て部分の表面側を書込み窓１０ｂから外部へと臨ませて、そこにコピー原稿Ｇの載置面を形成してなる。
【００１９】
また、カバー１１内には、駆動ローラに駆動力を伝達してエンドレスベルト１２を搬送する正逆駆動可能なモータ（図示省略）を備える。そして、ケース１０の長溝１０ｃの図中右側に、該可逆モータの駆動方向を切り換えるベルト送りキー１３およびベルト戻しキー１４を設ける。さらに、カバー１１内には、エンドレスベルト１２のカバー１１側上方に、原稿内容などを読み取る読取手段（図示省略）を備える。
【００２０】
そして、このカバー１１内には、該読取手段で読み取った読取内容を記録するため、図１および図２に示すように、手差し給紙口１１ａおよび用紙排出口１１ｂの下側に、この発明による手差し給紙装置ＡとサーマルヘッドＢを備える。
【００２１】
手差し給紙装置Ａは、用紙排出口１１ｂの下側で長手方向に、プラテンである搬送ローラ２０を設ける。そして、その搬送ローラ２０の下側にサーマルヘッドＢを押し当て、図中右側にガイドローラ２１を押し当ててなる。しかして、ガイドローラ２１とサーマルヘッドＢ間に、搬送ローラ２０に沿って湾曲させた案内板２２を設けてなる。
【００２２】
また、この給紙装置Ａでは、カバー１１の上側に下向きの傾斜部１１ｃを設け、そこに上記手差し給紙口１１ａを形成する。そして、傾斜部１１ｃに、フイルムシートからなるガイド板２５を取り付けてなる。そして、ガイド板２５の先端側を搬送ローラ２０の下側まで延ばして近接させてなる。なお、ガイド板２５は、その先端側を櫛歯状に形成してなる。
【００２３】
さらに、給紙装置Ａには、手差し給紙口１１ａ内に規制部材３０を配置してなる。規制部材３０は、樹脂材料で搬送ローラ２０に沿って細長で断面略三角状をなし、図中上側に上向きに突出する軸挿通部３０ａを設け、下側に下向きに突出する突当て部３０ｂを設けるとともに、その突当て部３０ｂと反対の上面に複数のばね収納穴３０ｃを設けてなる。そして、この規制部材３０を、手差し給紙口１１ａに配置した状態でその給紙口を塞ぐような形状に形成してなる。
【００２４】
なお、突当て部３０ｂは、図示しないが、ガイド板２５の先端形状に対応させ、長さ方向に間隔をおいて複数の凸部を並設して櫛歯状に形成してなる。そして、各々の凸部の先端部分に丸みを付け、その先端面を用紙の押え部３０ｄとして形成してなる。また、押え部３０ｄにテフロンテープ等を貼り付けて摩擦係数を低める構成としてもよい。
【００２５】
そして、この規制部材３０の軸挿通部３０ａに支持軸３１を挿通し、その支持軸３１でそれを中心として規制部材３０を回動自在に支持してなる。しかして、コイルばね３２を各々ばね収納部３０ｃに入れ、それらコイルばね３２を規制部材３０とカバー１１間に配置する。そうして、コイルばね３２で規制部材３０を図中時計方向に常時回動付勢し、図示しないが、たとえば突当て部３０ｂを適宜部材に当て、規制部材３０をそれで手差し給紙口１１ａと搬送ローラ２０間を遮る規制位置に保持してなる。なお、突当て部３０ｂは、ガイド板２５の櫛歯状先端部と互いに交差して該ガイド板を貫通した状態にある。
【００２６】
さて、上述したコピーボードは、たとえばテーブル等の上に載置した状態で使用する。そして、コピーを取るとき、コピー原稿をエンドレスベルト１２の載置面上に載置し、たとえばセンタ基準でセットする。
【００２７】
一方、図２に示すように、記録用の感熱紙Ｐを手差し給紙口１１ａから挿入してガイド板２５に沿って案内する。そして、感熱紙Ｐの先端を規制部材３０の突当て部３０ｂに突き当てて搬送ローラ２０のローラ軸２０ａと平行に揃える。しかして、感熱紙Ｐをさらに押し込み、その腰の強さで規制部材３０をコイルばね３２の付勢力に抗して規制位置から、図３に示すように退避位置に回動する。そして、感熱紙Ｐをガイド板２５で案内して先端を搬送ローラ２０まで到達させる。そのとき、押え部３０ｄでガイド板２５に感熱紙Ｐを押し付けながら更に押し込み、その感熱紙Ｐの浮き上がりを阻止する。
【００２８】
しかる後、図４に示すように、用紙排出口１１ｂの横に設けるコピースタートレバー４０を回動してコピーを開始する。そして、上記可逆モータを駆動し、エンドレスベルト１２を図４中矢印Ｘ方向に搬送してコピー原稿Ｇを送り込む一方、搬送ローラ２０を回転駆動して感熱紙Ｐの搬送を開始する。しかして、コピー原稿Ｇの原稿内容を読取手段で読み取る一方、その読取内容を感熱紙ＰにサーマルヘッドＢで記録する。
【００２９】
そして、記録後の感熱紙Ｐを、案内板２２でガイドして搬送ローラ２０とガイドローラ２１間に通して搬送し、図４に示すように用紙排出口１１ｂから上方へ排出する。一方、読取り後のコピー原稿Ｇを、そのまま直線的に送って原稿排出口（図示省略）から排出する。
【００３０】
その後、感熱紙Ｐの後端が規制部材３０から離れたとき、規制部材３０がコイルばね３２の付勢力に基づき元の規制位置に戻る。
【００３１】
なお、上記したコピーボードは、手書きボードとして利用することもできる。その場合には、適宜筆記具を使って絵や文字などをエンドレスベルト１２上の載置面に描く。その手書き内容は、適宜ボード拭きで載置面を拭くことにより消すことができる。そして、絵などを消さないで引き続き新しい載置面に画像を描きたいときは、ベルト送りキー１３およびベルト戻しキー１４を適宜操作してエンドレスベルト１２を正逆駆動し、そのベルト１２を送って何も書いていない載置面を繰り出せばよい。
【００３２】
ところで、上述した実施例では、規制部材３０を規制位置に付勢する部材としてコイルばね３２を用いたが、たとえば図５に示すように、板ばね３５を用いてもよい。また、図６に示すように、樹脂材料でつくる規制部材３０の上面に、一体成形で半円状のばね凸部３０ｅを設ける構成とすることもできる。
【００３３】
また、上述した実施例では、この発明をコピーボードに適用したが、それに限らず、その他の複写機やプリンタやファクシミリ等にも勿論適用することができる。
【００３４】
【発明の効果】
したがって、この発明によれば、規制部材を用紙の押し込みに基づいて、用紙の先端を揃える規制位置と退避位置とに回動する安価で簡単な構成とし、従来のように高価なソレノイド等の多数の部品を用いる複雑な構成としないことから、コスト高を招くことなく、用紙のスキューの発生を防止することができる。
【００３５】
請求項２に記載のものによれば、先端を突当てた用紙をさらに押し込んで規制部材を回動するとき、その規制部材の押え部で用紙をガイド板に押し付けて浮き上がりを防止しながら搬送ローラまで到達させることから、用紙を搬送ローラへ確実に導くことができる。
【００３６】
請求項３に記載のものによれば、規制部材で常に手差し給紙口を、用紙通過のみを許す塞いだ状態にすることにより、手差し給紙口からゴミや埃等が侵入することを防止したり、手差し給紙口から誤って指や長い髪等が入ることを阻止して安全性を高めたりすることができる。
【図面の簡単な説明】
【図１】この発明の一実施例である手差し給紙装置を備えるコピーボードの部分縦断面図である。
【図２】その手差し給紙装置を手差し状態において示すコピーボードの部分縦断面図である。
【図３】その手差し給紙装置を搬送開始直前の状態において示すコピーボードの部分縦断面図である。
【図４】上記コピーボードの外観斜視図である。
【図５】規制部材を規制位置に付勢する手段として板ばねを用いた例を示す側面図である。
【図６】その付勢手段として規制部材自体に一体成形でばね凸部を設けた例を示す斜視図である。
【図７】複写機に備える従来の手差し給紙装置を示す部分縦断面図である。
【図８】その給紙装置において、手差し用紙を搬送ローラに対し傾けてセットした場合の説明図である。
【図９】用紙の先端を揃えるストッパを備えた従来の給紙装置の構成図である。
【図１０】そのストッパの作動機構説明図である。
【符号の説明】
１１ａ  手差し給紙口
２０    搬送ローラ
２０ａ  ローラ軸
２５    ガイド板
３０    規制部材
３０ｂ  突当て部
３０ｄ  押え部
Ａ      手差し給紙装置
Ｐ      感熱紙（用紙）
【図１】
0003630771.tif 000002
【図２】
0003630771.tif 000003
【図３】
0003630771.tif 000004
【図４】
0003630771.tif 000005
【図５】
0003630771.tif 000006
【図６】
0003630771.tif 000007
【図７】
0003630771.tif 000008
【図８】
0003630771.tif 000009
【図９】
0003630771.tif 000010
【図１０】
0003630771.tif 000011